【手続補正書】
【提出日】平成27年5月25日(2015.5.25)
【手続補正１】
【補正対象書類名】特許請求の範囲
【補正対象項目名】全文
【補正方法】変更
【補正の内容】
【特許請求の範囲】
【請求項１】
無線通信ネットワーク内のセル（１１、１４）と関連しているシステム情報を取得するユーザ装置（１０）における方法であって、前記セル（１１、１４）はネットワークノード（１２、１２'、１５）によりサービスを提供され、前記ユーザ装置（１０）は、複数のダウンリンクキャリヤで同時に信号を受信することが可能であり、前記方法は、
ダウンリンクキャリヤにオートノマスギャップを生成する工程（２０４，６０４）であって、ダウンリンクキャリヤにオートノマスギャップを生成するために用いるそのダウンリンクキャリヤは、前記ネットワークノード（１２、１２'、１５）から受信した、前記ダウンリンクキャリヤを指定する指示または所定の規則またはその両方に基づいている工程と、
生成されたオートノマスギャップを用いて、前記ダウンリンクキャリヤで前記セル（１１、１４）のシステム情報を取得する工程（６０５）と
を有することを特徴とする方法。
【請求項２】
受信した前記指示または所定の規則またはその両方に基づいて、前記セル（１１、１４）のシステム情報を取得するために前記オートノマスギャップを生成するダウンリンクキャリヤを選択する工程（６０３）を更に有することを特徴とする請求項１に記載の方法。
【請求項３】
ネットワークノード（１２、１２'）に対して、選択された前記ダウンリンクキャリヤを示している選択指示を送信する工程（６０６）をさらに有することを特徴とする請求項２に記載の方法。
【請求項４】
前記指示または所定の規則は、前記ダウンリンクキャリヤが主セルまたは在圏セルに関連しないということを規定することを特徴とする請求項１乃至３のいずれか一項に記載の方法。
【請求項５】
前記ネットワークノード（１２、１２'）からの指示または前記セル（１１、１４）のＩＤまたはその両方を受信する工程（６０２）を更に有することを特徴とする請求項１乃至４のいずれか一項に記載の方法。
【請求項６】
前記所定の規則は、前記ダウンリンクキャリヤが、主キャリヤ、副キャリヤ、孤立キャリヤ、システム情報タイプに基づいたキャリヤ、オートノマスギャップのギャップ長または密度またはその両方に基づいたキャリヤのうち少なくともひとつであることを規定することを特徴とする請求項１乃至５のいずれか一項に記載の方法。
【請求項７】
ネットワークノード（１２、１２'、１５）に対して、セルのシステム情報の取得のために複数のダウンリンクキャリヤのうちの任意のダウンリンクキャリヤにオートノマスギャップを生成するための能力を報告する工程（２０１，６０１）を更に有することを特徴とする請求項１乃至６のいずれか一項に記載の方法。
【請求項８】
前記指示は、さまざまな異なるタイプのシステム情報を取得するためにオートノマスギャップを生成するための、さまざまな異なる特定のダウンリンクキャリヤを指示することを特徴とする請求項１乃至７のいずれか一項に記載の方法。
【請求項９】
取得した前記システム情報をネットワークノード（１２、１２'）に報告する工程（２０５，６０７）を更に有することを特徴とする請求項１乃至８のいずれか一項に記載の方法。
【請求項１０】
セル（１１、１４）のシステム情報が、セルグローバル識別子（ＣＧＩ）、閉鎖的加入者グループ（ＣＳＧ）インジケータ、ハイブリッドＣＳＧインジケータ、マスタ情報ブロック（ＭＩＢ）および１つ以上のシステム情報ブロック（ＳＩＢ）の少なくとのひとつを含むことを特徴とする請求項１乃至９のいずれか一項に記載の方法。
【請求項１１】
無線通信ネットワーク内のセル（１１、１４）と関連しているシステム情報を取得するようユーザ装置（１０）に要求するネットワークノード（１２、１２'、１５）における方法であって、前記セル（１１、１４）は前記ネットワークノード（１２、１２'、１５）によってサービスを提供され、前記ユーザ装置（１０）は複数のダウンリンクキャリヤから同時に信号を受信することが可能であり、前記方法は、
前記セル（１１、１４）と関連しているシステム情報を取得するために前記ユーザ装置（１０）に対してオートノマスギャップを生成するダウンリンクキャリヤを指定する指示を前記ユーザ装置（１０）に送信し（２０３，８０４）、それによって前記セル（１１，１４）に関連するシステム情報を取得するよう前記ユーザ装置（１０）に要求する工程
を有することを特徴とする方法。
【請求項１２】
前記ユーザ装置（１０）が前記システム情報を取得するためにオートノマスギャップを生成すべきダウンリンクキャリヤを選択する工程（２０２，８０３）を更に有することを特徴とする請求項１１に記載の方法。
【請求項１３】
前記選択する工程（２０２，８０３）は、さまざまな異なるタイプのシステム情報を検索するためにさまざまな異なるキャリヤを選択することを含み、前記送信する工程（２０３，８０４）は、選択された前記さまざまな異なるキャリヤの指示を送信することを含むことを特徴とする請求項１２に記載の方法。
【請求項１４】
前記ユーザ装置（１０）から、セルのシステム情報の取得のために複数のダウンリンクキャリヤのうちの任意のダウンリンクキャリヤにオートノマスギャップを生成するための前記ユーザ装置（１０）の能力を示す能力表示を受信する工程（８０２）を更に有することを特徴とする請求項１１乃至１３のいずれか一項に記載の方法。
【請求項１５】
前記選択する工程（８０３）は、受信した前記能力表示、または受信した前記能力表示と追加の基準とに基づくことを特徴とする請求項１２を引用する請求項１４に記載の方法。
【請求項１６】
前記追加の基準は、隣接しているキャリヤの数が最も少ないダウンリンクキャリヤ、オートノマスギャップにより生じるデータ損失が最小のダウンリンクキャリヤ、時間的に最もクリティカルでないダウンリンクキャリヤ、オートノマスギャップのギャップ長またはギャップ密度またはその両方に基づくダウンリンクキャリヤ、または複数のセルのシステム情報の取得のためにオートノマスギャップが複数のキャリヤに分散されるかどうか、の少なくともひとつを含むことを特徴とする請求項１５に記載の方法。
【請求項１７】
セルのシステム情報の取得のために複数のダウンリンクキャリヤのうちの任意のダウンリンクキャリヤにオートノマスギャップを生成するための前記ユーザ装置（１０）の機能を報告するよう前記ユーザ装置（１０）に要求する工程（８０１）を更に有することを特徴とする請求項１１乃至１６のいずれか一項に記載の方法。
【請求項１８】
前記ネットワークノードが第１のネットワークノード（１２、１２'）であり、
前記ユーザ装置（１０）がオートノマスギャップを生成するダウンリンクキャリヤを指示するキャリヤ指示、または前記セルのシステム情報の取得のために複数のダウンリンクキャリヤのうちの任意のダウンリンクキャリヤにオートノマスギャップを生成するユーザ装置（１０）の機能を示している能力表示、またはその両方を、第２のネットワークノード（１５）に送信する工程（８０５）を更に有することを特徴とする請求項１１乃至１７のいずれか一項に記載の方法。
【請求項１９】
ユーザ装置（１０）または第１のネットワークノード（１２、１２'）からのオートノマスギャップ情報を処理する第２のネットワークノード（１５）における方法であって、オートノマスギャップは、無線通信ネットワーク内のセル（１１，１４）に関連するシステム情報を取得するために前記ユーザ装置により生成され、セル（１１，１４）は前記第１のネットワークノード（１２、１２'）によりサービスを提供され、前記ユーザ装置（１０）は、複数のダウンリンクキャリヤから同時に信号を受信することが可能であり、前記方法は、
システム情報を取得するためのオートノマスギャップをダウンリンクキャリヤに生成するための、前記ユーザ装置（１０）の能力の情報、または、前記ユーザ装置（１０）がセルのシステム情報を取得するためにオートノマスギャップを生成すべきダウンリンクキャリヤを特定する情報、またはその両方を前記ユーザ装置（１０）または前記第１のネットワークノード（１２，１２'）から取得する工程（１００１）と、
ハンドオーバまたはセル変更の後にシステム情報を取得するようユーザ装置（１０）に要求することと、システム情報を取得するためにオートノマスギャップが或るダウンリンクキャリヤに生成されるかどうかに応じて少なくとも１つの物理層パラメータを設定することと、オートノマスギャップがキャリヤに生成されるかどうかに応じてキャリヤ上のポジショニング測定に関連した設定パラメータを選択することと、ネットワークパフォーマンスモニタリングと、ネットワーク計画または展開と、無線管理タスクとの少なくともいずれかひとつのためにダウンリンクキャリヤを設定するため前記能力の情報またはダウンリンクの情報またはその両方を用いる工程（１００２）と
を有することを特徴とする方法。
【請求項２０】
前記無線管理タスクが、前記ユーザ装置（１０）によってオートノマスギャップがより高い頻度で生成されるダウンリンクキャリヤに応じて、少なくともひとつの物理層パラメータおよび設定を選択することを含むことを特徴とする請求項１９に記載の方法。
【請求項２１】
無線通信ネットワークの中のセル（１１、１４）と関連しているシステム情報を取得するためのユーザ装置（１０）であって、セル（１１、１４）はネットワークノード（１２、１２'、１５）によりサービスを提供され、前記ユーザ装置（１０）は、複数のダウンリンクキャリヤで同時に信号を受信するよう構成されており、前記ユーザ装置（１０）は、
ダウンリンクキャリヤにオートノマスギャップを生成するよう構成された生成回路（７０１）であって、ダウンリンクキャリヤにオートノマスギャップを生成するために用いるそのダウンリンクキャリヤは、前記ネットワークノード（１２、１２'、１５）から受信した、ダウンリンクキャリヤを指定する指示または所定の規則またはその両方に基づいているところの生成回路（７０１）と、
生成された前記オートノマスギャップを用いて、前記ダウンリンクキャリヤで前記セル（１１、１４）のシステム情報を取得するよう構成された取得回路（７０２）と
を有することを特徴とするユーザ装置（１０）。
【請求項２２】
受信した前記指示または所定の規則またはその両方に基づいて、前記セル（１１、１４）のシステム情報を取得するために前記オートノマスギャップを生成するダウンリンクキャリヤを選択するよう構成された選択回路（７０３）を更に有することを特徴とする請求項２１に記載のユーザ装置（１０）。
【請求項２３】
ネットワークノード（１２）に対して、選択された前記ダウンリンクキャリヤを示している選択指示を送信するよう構成された送信機（７０４）を更に有することを特徴とする請求項２２に記載のユーザ装置（１０）。
【請求項２４】
前記指示または所定の規則は、前記ダウンリンクキャリヤが主セルまたは在圏セルに関連しないということを規定することを特徴とする請求項２１乃至２３のいずれか一項に記載のユーザ装置（１０）。
【請求項２５】
前記ネットワークノード（１２、１２'）からの指示または前記セル（１１、１４）のＩＤまたはその両方を受信するよう構成された受信機（７０５）を更に有することを特徴とする請求項２１乃至２４のいずれか一項に記載のユーザ装置（１０）。
【請求項２６】
前記所定の規則は、前記ダウンリンクキャリヤが、主キャリヤ、副キャリヤ、孤立キャリヤ、システム情報タイプに基づいたキャリヤ、オートノマスギャップのギャップ長または密度またはその両方に基づいたキャリヤのうち少なくともひとつであることを規定することを特徴とする請求項２１乃至２５のいずれか一項に記載のユーザ装置（１０）。
【請求項２７】
ネットワークノード（１２、１２'、１５）に対して、セルのシステム情報の取得のために複数のダウンリンクキャリヤのうちの任意のダウンリンクキャリヤにオートノマスギャップを生成するための能力を報告するよう構成された報告回路（７０６）を更に有することを特徴とする請求項２１乃至２６のいずれか一項に記載のユーザ装置（１０）。
【請求項２８】
前記指示は、さまざまな異なるタイプのシステム情報を取得するためにオートノマスギャップを生成するため、さまざまな異なる特定のダウンリンクキャリヤを指示することを特徴とする請求項２１乃至２７のいずれか一項に記載のユーザ装置（１０）。
【請求項２９】
報告回路（７０６）が、取得した前記システム情報をネットワークノード（１２、１２'）に報告するよう構成されることを特徴とする請求項２１乃至２８のいずれか一項に記載のユーザ装置（１０）。
【請求項３０】
セル（１１、１４）のシステム情報が、セルグローバル識別子（ＣＧＩ）、閉鎖的加入者グループ（ＣＳＧ）インジケータ、ハイブリッドＣＳＧインジケータ、マスタ情報ブロック（ＭＩＢ）および１つ以上のシステム情報ブロック（ＳＩＢ）の少なくともひとつを含むことを特徴とする請求項２１乃至２９のいずれか一項に記載のユーザ装置（１０）。
【請求項３１】
無線通信ネットワーク内のセル（１１、１４）と関連しているシステム情報を取得するようユーザ装置（１０）に要求するネットワークノード（１２、１２'、１５）であって、前記ネットワークノード（１２、１２'、１５）は前記セル（１１、１４）にサービスを提供し、前記ユーザ装置（１０）は複数のダウンリンクキャリヤから同時に信号を受信することが可能であり、前記ネットワークノード（１２、１２'、１５）は、
前記セル（１１、１４）と関連しているシステム情報を取得するために前記ユーザ装置（１０）に対してオートノマスギャップを生成するダウンリンクキャリヤを指定する指示を前記ユーザ装置（１０）に送信する（２０３，８０４）よう構成され、それによって前記セル（１１，１４）に関連するシステム情報を取得するよう前記ユーザ装置（１０）に要求する送信機（９０１）を有することを特徴とするネットワークノード（１２、１２'、１５）。
【請求項３２】
前記ユーザ装置（１０）が前記システム情報を取得するためにオートノマスギャップを生成すべきダウンリンクキャリヤを選択するよう構成された選択回路（９０２）を更に有することを特徴とする請求項３１に記載のネットワークノード（１２、１２'、１５）。
【請求項３３】
前記選択回路（９０２）が、さまざまな異なるタイプのシステム情報を検索するためにさまざまな異なるキャリヤを選択するように構成され、前記送信機（９０１）が、選択された前記さまざまな異なるキャリヤの指示を送信するよう構成されることを特徴とする請求項３２に記載のネットワークノード（１２、１２'、１５）。
【請求項３４】
前記ユーザ装置（１０）から、セルのシステム情報の取得のために複数のダウンリンクキャリヤのうちの任意のダウンリンクキャリヤにオートノマスギャップを生成するための前記ユーザ装置（１０）の能力を示す能力表示を受信するよう構成された受信機（９０３）を更に有することを特徴とする請求項３１乃至３３のいずれか一項に記載のネットワークノード（１２、１２'、１５）。
【請求項３５】
前記選択回路（９０２）は、受信した前記能力表示、または受信した前記能力表示と追加の基準とに基づいてダウンリンクキャリヤを選択するよう構成されることを特徴とする請求項３２を引用する請求項３４に記載のネットワークノード（１２、１２'、１５）。
【請求項３６】
前記追加の基準は、隣接しているキャリヤの数が最も少ないダウンリンクキャリヤ、オートノマスギャップにより生じるデータ損失が最小のダウンリンクキャリヤ、時間的に最もクリティカルでないダウンリンクキャリヤ、オートノマスギャップのギャップ長またはギャップ密度またはその両方に基づくダウンリンクキャリヤ、または複数のセルのシステム情報の取得のためにオートノマスギャップが複数のキャリヤに分散されるかどうか、の少なくともひとつを含むことを特徴とする特徴とする請求項３５に記載のネットワークノード（１２、１２'、１５）。
【請求項３７】
セルのシステム情報の取得のために複数のダウンリンクキャリヤのうちの任意のダウンリンクキャリヤにオートノマスギャップを生成するための前記ユーザ装置（１０）の機能を報告するよう前記ユーザ装置（１０）に要求するよう構成された要求回路（９０４）を更に有することを特徴とする請求項３１乃至３６のいずれか一項に記載のネットワークノード（１２、１２'、１５）。
【請求項３８】
前記ネットワークノードが第１のネットワークノード（１２、１２'）であり、
前記ユーザ装置（１０）がオートノマスギャップを生成するダウンリンクキャリヤを指示するキャリヤ指示、または前記セルのシステム情報の取得のために複数のダウンリンクキャリヤのうちの任意のダウンリンクキャリヤにオートノマスギャップを生成するユーザ装置（１０）の機能を示している能力表示、またはその両方を、第２のネットワークノード（１５）に送信するように構成された送信回路（９０５）を更に有することを特徴とする請求項３１乃至３７のいずれか一項に記載のネットワークノード（１２、１２'、１５）。
【請求項３９】
ユーザ装置（１０）または第１のネットワークノード（１２、１２'）からのオートノマスギャップ情報を処理する第２のネットワークノード（１５）であって、オートノマスギャップは、無線通信ネットワーク内のセル（１１，１４）に関連するシステム情報を取得するために前記ユーザ装置（１０）により生成され、セル（１１，１４）は前記第１のネットワークノード（１２、１２'）によりサービスを提供され、前記ユーザ装置（１０）は、複数のダウンリンクキャリヤから同時に信号を受信することが可能であり、前記第２のネットワークノード（１５）は、
システム情報を取得するためのオートノマスギャップをダウンリンクキャリヤに生成するための、前記ユーザ装置（１０）の能力の情報、または、前記ユーザ装置（１０）がセルのシステム情報を取得するためにオートノマスギャップを生成すべきダウンリンクキャリヤを特定する情報、またはその両方を前記ユーザ装置（１０）または前記第１のネットワークノード（１２，１２'）から取得するよう構成された取得回路（１１０１）と、
ダウンリンクキャリヤを、
ハンドオーバまたはセル変更の後にシステム情報を取得するようユーザ装置（１０）に要求することと、
システム情報を取得するためにオートノマスギャップが或るダウンリンクキャリヤに生成されるかどうかに応じて少なくとも１つの物理層パラメータを設定することと、
オートノマスギャップがキャリヤに生成されるかどうかに応じてキャリヤ上のポジショニング測定に関連した設定パラメータを選択することと、
ネットワークパフォーマンスモニタリングと、
ネットワーク計画または展開と、
無線管理タスクと
の少なくともいずれかひとつのために設定するため前記能力の情報またはダウンリンクの情報またはその両方を用いるよう構成された使用回路（１１０２）と
を有することを特徴とする第２のネットワークノード（１５）。
【請求項４０】
前記無線管理タスクが、前記ユーザ装置（１０）によってオートノマスギャップがより高い頻度で生成されるダウンリンクキャリヤに応じて、少なくともひとつの物理層パラメータおよび設定を選択することを含むことを特徴とする請求項３９に記載の第２のネットワークノード（１５）。